(57)【特許請求の範囲】
【請求項１】
上部開口に嵌めて収納させた鍋を、内部に配置させた加熱手段により加熱調理可能な組立式の略円筒状とするとともに、
周方向に三分割されて、少なくとも１つには前記加熱手段を挿入可能な挿入孔を開口させた三枚の分割壁を組み立てて構成され、
各分割壁の周方向に沿った両端部に係合部を設けるとともに、組立時に隣り合う係合部同士を、周方向に沿って相互に分離不能な状態に係合させて、前記分割壁を略円筒状に連結させて組み立てられる炊飯かまどであって、
前記各分割壁の周方向に沿った一方の端部に雄型の係合部が設けられ、該周方向に沿った他方の端部に雌型の係合部が設けられ、
前記各分割壁の一方の端部に設けられた前記雄型の係合部が、横断面形状をＪ字形とするように、前記雄型係合部を設けられた端部から、炊飯かまどの半径方向外方へ突設されるとともに、炊飯かまどの軸方向に沿う略板形状に延設された元部と、該元部の突端から他方の端部の前記雌型係合部側に屈曲しつつ、炊飯かまどの周方向に沿って延設された屈曲部と、屈曲部の突端から炊飯かまどの半径方向内方へ突設された係止片部と、を備えて構成され、
前記各分割壁の他方の端部に設けられた前記雌型の係合部が、横断面形状を略逆Ｇ字形とするように、前記雌型係合部を設けられた端部から、炊飯かまどの半径方向外方へ突設されるとともに、炊飯かまどの軸方向に沿う略板形状に延設された元部と、該元部の突端から一方の端部の前記雄型係合部から遠ざかる側に屈曲しつつ、炊飯かまどの周方向に沿って延設された第１屈曲部と、該第１屈曲部の突端から炊飯かまどの半径方向内方に延設された第２屈曲部と、該第２屈曲部の突端から炊飯かまどの周方向に沿って前記雌型係合部の元部側に略板形状に延びた第３屈曲部と、第３屈曲部の突端から炊飯かまどの半径方向外方へ延設された係止片部と、を備えて構成され、
前記雌型係合部における元部・第１屈曲部・第２屈曲部に囲まれた内周部位が、組立時に係合させる前記雄型係合部を嵌合可能な形状に設定され、
前記雌型係合部の第２屈曲部・第３屈曲部・係止片部に囲まれた内周部位が、組立時に係合させる前記雄型係合部の係止片部を嵌合可能な形状に設定され、
前記雌型係合部の係止片部の周囲における元部・第１屈曲部・第２屈曲部との隙間が、組立時に係合させる前記雄型係合部の係止片部と屈曲部とを、前記雌型係合部の係止片部と元部との開口から挿入可能な寸法として構成され、
さらに、前記挿入孔や空気孔を除いて、前記各分割壁の外形が、略同一サイズ、略同一形状とされていることを特徴とする炊飯かまど。
【発明の詳細な説明】
【０００１】
【発明の属する技術分野】
本発明は、災害時等の屋外等での炊き出しに使用する移動式の炊飯かまどに関する。
【０００２】
【従来の技術】
従来、この種の炊飯かまどとしては、図５・６に示すもの（特開平１１−３３７０７１号公報参照）が知られていた。
【０００３】
この炊飯かまど１は、湾曲状とされた複数の分割壁２・３・４の端部相互を連結し、この複数の分割壁２・３・４を略円筒状に組み立てて構成されていた。この連結は、炊飯かまど１の組立時に隣り合う１組の端部相互において、フックレバー７を用いて行われ、残りの組の端部相互において、外れ防止片Ｋを摺動孔Ｓ周縁に係止することによって行われていた。
【０００４】
すなわち、上記１組の端部の一方には、半径方向外方へ延びる取付片（図示を省略）が形成され、他方には、半径方向外方へ延びる係止片９が形成されていた。かかる取付片には、炊飯かまど１の周方向に沿って突出する嵌合ピン８が、上下に配置されるとともに、フックレバー７が回動自在に軸着されていた。なお、フックレバー７は、手で把持するレバー本体７ａと、係止片９における取付片と対向する面の裏面側に延びるフック７ｂと、を備えて構成されていた。
【０００５】
また、各係止片９には、嵌合ピン８を挿通させる嵌合孔（図示を省略）が形成されていた。さらに、図６（ａ）及び（ｂ）に示すように、残りの組の端部の一方には、他方の端部側の分割壁本体１０を摺動可能な摺動孔Ｓを配設させ、他方には、摺動孔Ｓ周縁に係止可能な外れ防止片Ｋを配設させていた。
【０００６】
この炊飯かまど１の使用時には、図６（ｂ）に示すように、外れ防止片Ｋを摺動孔Ｓ周縁へ係止させる。また、フックレバー７を上方へ回動させた状態で、嵌合ピン８を嵌合孔に嵌合させるとともに、取付片と係止片９とを当接させ、フックレバー７を下方へ回動させて、フック７ｂを係止片９に係止させる。これにより、各分割壁２・３・４は略円筒状に連結され、炊飯かまど１を組み立てることができた。
【０００７】
また、炊飯かまど１の収納時には、フックレバー７を上方へ回動させ、フック７ｂの係止片９への係止を解除させるとともに、摺動孔Ｓに他方の分割壁本体１０を摺動させる｛図６（ａ）の矢印Ｄの方向｝ことにより、各分割壁２・３・４を積層させるようにして、収納することができた。
【０００８】
【発明が解決しようとする課題】
ところで、震災、台風等の各種の災害は、時と場所を選ばずに生ずるのが一般的である。このため、この種の炊飯かまど１では、構造の簡単化と製造コストの低廉化を図ることで、日本全国の津々浦々に数多く、普及させるとともに、被災地等において瞬時に、組立可能であることが要望される。
【０００９】
しかし、上記従来の炊飯かまど１では、フックレバー７、摺動孔Ｓ、外れ防止片Ｋ等を利用した複雑な連結構造を備えるため、この炊飯かまど１の構造の単純化や製造コストの低廉化には限界がある。
【００１０】
また、従来の炊飯かまど１では、分割壁３・４の外れ防止片Ｋを隣の摺動孔Ｓ周縁へ係止させる作業や、フックレバー７による係止作業が面倒であるため、被災地において、瞬時に組み立てることができないことがある。特に、作業者が、この種の作業に不慣れな女性や、子供である場合には、この炊飯かまど１の組立作業がより一層、困難なものとなる。
【００１１】
なお、図５・６に示す従来例の他にも、組立時に隣り合う全ての端部相互を、フックレバーを用いて連結したものも知られていた（意匠登録第５５０３４４号公報参照）。しかし、この炊飯かまどでは、フックレバーの数が多くなる分だけ、炊飯かまどの構造がより複雑化し、製造コストがより高くなり易い。
【００１２】
さらに、上記従来の炊飯かまど１では、収納時に、全ての分割壁２・３・４が積層されるため、これらの分割壁２・３・４を一体で搬送することが必要となる。すなわち、重量が重い積層品を取り扱うことが必要なため、収納個所から使用個所への搬送や、使用個所から収納個所への搬送を行うことが困難である。
【００１３】
本発明は、上述の課題を解決するものであり、構造が簡単で、安価であるとともに、組立・運搬・収納を簡便に行なうことができる炊飯かまどを提供することを目的とする。
【００１４】
【課題を解決するための手段】
本発明に係る炊飯かまどは、上部開口に嵌めて収納させた鍋を、内部に配置させた加熱手段により加熱調理可能な組立式の略円筒状とするとともに、
周方向に三分割されて、少なくとも１つには前記加熱手段を挿入可能な挿入孔を開口させた三枚の分割壁を組み立てて構成され、
各分割壁の周方向に沿った両端部に係合部を設けるとともに、組立時に隣り合う係合部同士を、周方向に沿って相互に分離不能な状態に係合させて、前記分割壁を略円筒状に連結させて組み立てられる炊飯かまどであって、
前記各分割壁の周方向に沿った一方の端部に雄型の係合部が設けられ、該周方向に沿った他方の端部に雌型の係合部が設けられ、
前記各分割壁の一方の端部に設けられた前記雄型の係合部が、横断面形状をＪ字形とするように、前記雄型係合部を設けられた端部から、炊飯かまどの半径方向外方へ突設されるとともに、炊飯かまどの軸方向に沿う略板形状に延設された元部と、該元部の突端から他方の端部の前記雌型係合部側に屈曲しつつ、炊飯かまどの周方向に沿って延設された屈曲部と、屈曲部の突端から炊飯かまどの半径方向内方へ突設された係止片部と、を備えて構成され、
前記各分割壁の他方の端部に設けられた前記雌型の係合部が、横断面形状を略逆Ｇ字形とするように、前記雌型係合部を設けられた端部から、炊飯かまどの半径方向外方へ突設されるとともに、炊飯かまどの軸方向に沿う略板形状に延設された元部と、該元部の突端から一方の端部の前記雄型係合部から遠ざかる側に屈曲しつつ、炊飯かまどの周方向に沿って延設された第１屈曲部と、該第１屈曲部の突端から炊飯かまどの半径方向内方に延設された第２屈曲部と、該第２屈曲部の突端から炊飯かまどの周方向に沿って前記雌型係合部の元部側に略板形状に延びた第３屈曲部と、第３屈曲部の突端から炊飯かまどの半径方向外方へ延設された係止片部と、を備えて構成され、
前記雌型係合部における元部・第１屈曲部・第２屈曲部に囲まれた内周部位が、組立時に係合させる前記雄型係合部を嵌合可能な形状に設定され、
前記雌型係合部の第２屈曲部・第３屈曲部・係止片部に囲まれた内周部位が、組立時に係合させる前記雄型係合部の係止片部を嵌合可能な形状に設定され、
前記雌型係合部の係止片部の周囲における元部・第１屈曲部・第２屈曲部との隙間が、組立時に係合させる前記雄型係合部の係止片部と屈曲部とを、前記雌型係合部の係止片部と元部との開口から挿入可能な寸法として構成され、
さらに、前記挿入孔や空気孔を除いて、前記各分割壁の外形が、略同一サイズ、略同一形状とされていることを特徴とする。
【００１７】
【発明の効果】
本発明に係る炊飯かまどは、組立時に隣り合う係合部同士を周方向に沿って相互に分離不能な状態に係合させれば、複数の分割壁を略筒状に連結させることができ、組立作業を完了させることができる。その後、上部開口に鍋を嵌めるとともに、挿入孔から内部に加熱手段を挿入して、鍋を加熱すれば、炊き出しを行なうことができる。
【００１８】
すなわち、各分割壁の端部に、フックレバー、摺動孔、外れ防止片等を用いた複雑な連結構造を設ける必要がないため、各分割壁の連結構造が単純化され、炊飯かまどの構造の単純化や製造コストの低廉化を図ることができる。
【００１９】
また、このように、各分割壁の端部相互の連結のため、フックレバー、摺動孔、外れ防止片等の連結作業が面倒なもの設ける必要がなく、しかも、止めネジ等の別体の固定部材を用いたり、端部相互にカシメ等の塑性変形を施す必要がない。このため、本発明に係る炊飯かまどは、被災地等において、瞬時に組み立てることができる。
【００２０】
さらに、本発明に係る炊飯かまどは、不使用時に、各分割壁毎に分離でき、収納個所から使用個所への搬送や、使用個所から収納個所への搬送を、各分割壁毎に行うことができるため、これらの搬送作業が容易である。但し、作業者が腕力の強い者（例えば、男性）であったり、台車等の搬送手段を用いる場合には、炊飯かまどを構成する全分割壁、若しくは、全分割壁から選択される幾枚かの分割壁を一度に搬送することもできる。
以上のように、本発明に係る炊飯かまどは、構造が簡単で、安価であるとともに、組立・運搬・収納を簡便に行なうことができる炊飯かまどが得られる。
また、炊飯かまどの組立時に、炊飯かまどの周方向に沿って、雄型の係合部と、雌型の係合部とが交互に並ぶ状態となる。すなわち、各分割壁において、炊飯かまどの周方向に沿って並ぶ向きが同方向となるため、炊飯かまどの組立作業を効率的に行うことができる。
さらに、炊飯かまどを構成する各分割壁の外形を統一化できるため、炊飯かまどの製造コストをより一層、安価なものとできる。例えば、各分割壁をプレス加工によって形成する場合には、炊飯かまどを構成する全分割壁を、同一の金型を用いて形成することができる。そして、全分割壁のうちで、挿入孔や空気孔等を備えるものについて、この挿入孔等を開口させるための加工を別途、施せばよいからである。
【００２４】
【発明の実施の形態】
以下、本発明の一実施形態を図面に基づいて説明する。
【００２５】
実施形態の炊飯かまど１１は、図１・２に示すように、略円筒状として、炊飯かまど１１を周方向に三分割したような３枚の湾曲状の分割壁１２・１３・１４から構成されている。なお、各分割壁１２・１３・１４はステンレス鋼板を曲げ加工して形成されている。
【００２６】
１つの分割壁１２には、中央下部に、加熱手段としてのガスバーナＨを挿入させる挿入孔１５が形成され、他の分割壁１３・１４には、空気孔３１が適宜設けられている。そして、全分割壁１２・１３・１４の外形は、略同一サイズ・略同一形状とされている。
【００２７】
各分割壁１２・１３・１４では、図２・３に示すように、組立完了時の平面視の状態における炊飯かまど１１の中心Ｏを基準に、左回転方向先端に位置する一方の端部Ｌに雄型の係合部１６が形成され、右回転方向先端に位置する他方の端部Ｒに雌型の係合部１７が形成されている。
【００２８】
ここで、雄型の係合部１６は、端部Ｌから、横断面形状をＪ字形とするように、炊飯かまど１１の半径方向外方へ突設されるものであり、炊飯かまど１１の半径方向外方へ突設されるとともに、炊飯かまど１１の軸方向に沿う略板形状に延設された元部１６ａと、元部１６ａの突端から端部Ｒ側に屈曲しつつ、炊飯かまど１１の周方向に沿って延設された屈曲部１６ｂと、屈曲部１６ｂの突端から炊飯かまど１１の半径方向内方へ突設された係止片部１６ｃと、を備えて構成されている。
【００２９】
また、雌型の係合部１７は、端部Ｒから、横断面形状を略逆Ｇ字形とするように、炊飯かまど１１の半径方向外方へ突設されるものであり、炊飯かまど１１の半径方向外方へ突設されるとともに、炊飯かまど１１の軸方向に沿う略板形状に延設された元部１７ａと、元部１７ａの突端から端部Ｒと遠ざかる側に屈曲しつつ、炊飯かまど１１の周方向に沿って延設された第１屈曲部１７ｂと、第１屈曲部１７ｂの突端から炊飯かまど１１の半径方向内方に延設された第２屈曲部１７ｃと、第２屈曲部１７ｃの突端から炊飯かまど１１の周方向に沿って元部１７ａ側に略板形状に延びた第３屈曲部１７ｄと、第３屈曲部１７ｄの突端から炊飯かまど１１の半径方向外方へ延設された係止片部１７ｅと、を備えて構成されている。
【００３０】
また、係合部１７における元部１７ａ・第１屈曲部１７ｂ・第２屈曲部１７ｃに囲まれた内周部位１７ｆは、係合部１６を嵌合可能な形状に設定され、係合部１７の第２屈曲部１７ｃ・第３屈曲部１７ｄ・係止片部１７ｅに囲まれた内周部位１７ｇは、係合部１６の係止片部１６ｅを嵌合可能な形状に設定されている。さらに、係合部１７の係止片部１７ｅの周囲における元部１７ａ・第１屈曲部１７ｂ・第２屈曲部１７ｃとの隙間は、係合部１６の係止片部１６ｃと屈曲部１６ｂとを、係止片部１７ｅと元部１７ａとの開口から挿入可能な寸法としている。
【００３１】
そして、炊飯かまど１１の組立時においては、隣り合う分割壁（１２及び１３、１３及び１４、１４及び１２）の隣合う端部Ｌ、Ｒ相互に関し、係合部１７の第２屈曲部１７ｃ・第３屈曲部１７ｄ・係止片部１７ｅに囲まれた内周部位１７ｇに、係合部１６の係止片部１６ｅを嵌合させるとともに、係合部１７の元部１７ａ・第１屈曲部１７ｂ・第２屈曲部１７ｃに囲まれた内周部位１７ｆに、係合部１６の外周側を嵌合させて、係合部１６に係合部１７を外嵌状態で係合させれば、係止片部１６ｅが、第３屈曲部１７ｄと係止片部１７ｅとに係止されて、係合部１６の係止部１７に対する炊飯かまど１１の半径方向内方への相対移動が規制され、かつ、係止部１６が、係止部１７の元部１７ａ・第１屈曲部１７ｂ・第２屈曲部１７ｃに囲まれた内周部位１７ｆに嵌合されて、係止部１６の係止部１７に対する炊飯かまど１１の周方向に沿う相対移動が規制されることとなって、その結果、隣合う端部Ｌ、Ｒの係合部１６・１７相互が、外れることなく強固に連結されることとなる。
【００３２】
つぎに、実施形態の炊飯かまど１１の組立手順の具体例を説明する。但し、実施形態の炊飯かまど１１の組立手順は、この具体例に限定されない。
【００３３】
先ず、図４（ａ）に示すように、挿入孔１５を備えない、分割壁１３・１４を、所望の設置個所の地面に立設させ、分割壁１３の端部Ｌと、分割壁１４の端部Ｒとを近接する状態にする。このとき、両分割壁１３・１４は、夫々、周方向に沿った両端に、Ｊ字断面・逆Ｇ字断面の係合部１６、１７を備えており、これらの底面が、両分割壁１３・１４を地面に対して安定状態に支持するための支持部として機能する。このため、両分割壁１３・１４は、このような支持部と湾曲した形状とによって、安定した状態で立設することになる。
【００３４】
なお、２つの分割壁１３・１４を立設した段階で、分割壁１３の端部Ｌと分割壁１４の端部Ｒとが近接する状態とされても、２つの分割壁１３・１４を立設した後に、両分割壁１３、１４のうちの少なくとも一方を、地面に対して摺動させ、両端部Ｌ、Ｒを近接させてもよい。
【００３５】
続いて、図４（ｂ）に示すように、両分割壁１３・１４のうちの少なくとも一方を地面に対して摺動させ、雄型の係合部１６の係止片部１６ｃを、雌型の係合部１７の係止片部１７ｅと元部１７ａとの開口部位から挿入させる。さらに、図４（ｃ）に示すように、係止片部１６ｃを係止片部１７ｅと第１屈曲部１７ｂ・第２屈曲部１７ｃとの隙間に順次挿入させるように、両分割壁１３・１４のうちの少なくも一方を地面に対して摺動させる。
【００３６】
そして、この状態より、図４（ｃ）の矢印Ａに示すように、各分割壁１３・１４が略ハの字を描くように、地面上で摺動させると、両分割壁１３・１４は、係止片部１６ｃ・１７ｅ付近を支点に相対回転し、雌型の係合部１７が雄型の係合部１６を外嵌する状態となる。
【００３７】
これにより、雌雄一対の両係合部１６、１７が、周方向に沿って相互に分離不能な状態に係合されて、両分割壁１３・１４が強固に連結されることとなる。
【００３８】
そして、両分割壁１３・１４の連結体１８では、その周方向に沿って左回転位置の端部Ｌに、分割壁１４の雄型の係合部１６が配置され、右回転位置の端部Ｒに、分割壁１３の雌型の係合部１７が配置される。
【００３９】
ついで、図２の二点鎖線に示すように、この連結体１８に対して、その上方より分割壁１２をはめ込めば、炊飯かまど１１の組立を完了する。この作業は、分割壁１２の端部Ｌの雄型の係合部１６の下端を、連結体１８の雌型の係合部１７の上方に位置合わせするとともに、分割壁１２の端部Ｒの雌型の係合部１７の下端を、連結体１８の雄型の係合部１６の上方に位置合わせた状態で、分割壁１２を地面方向へ下降させることによってなされる。
【００４０】
なお、この分割壁１２のはめ込み作業に際しては、作業者が分割壁１２を、連結体１８の上方に持ち上げることが必要である。但し、分割壁１２には、ガスバーナＨを挿入可能な比較的、大型の挿入孔１５が形成され、その分、重量が軽くなっている。したがって、このはめ込み作業は、腕力が弱い作業者（例えば、女性、子供等）にとっても、容易である。
【００４１】
このように、炊飯かまど１１の組立を完了した後に、図１に示すように、上部開口に鍋Ｐを嵌めるとともに、挿入孔１５から内部に加熱手段としてのガスバーナＨを挿入して、鍋Ｐを加熱すれば、炊き出しを行なうことができる。
【００４２】
また、炊き出しを終了した収納時には、ガスバーナＨや鍋Ｐを外した後、上記組立手順と逆の手順により、炊飯かまど１１を、各分割壁１２・１３・１４に分解すればよい。
【００４３】
以上のように構成される炊飯かまど１１は、組立時に隣り合う係合部１６、１７同士を、周方向に沿って相互に分離不能な状態に係合させれば、複数の分割壁１２・１３・１４を略円筒状に連結させることができて、組立作業を完了させることができる。すなわち、各分割壁１２・１３・１４の端部Ｌ、Ｒに、フックレバー、摺動孔、外れ防止片等を用いた複雑な連結構造を設ける必要がないため、各分割壁１２・１３・１４の連結構造が単純化され、炊飯かまど１１の構造の単純化や製造コストの低廉化を図ることができる。
【００４４】
また、このように、各分割壁１２・１３・１４の端部Ｌ、Ｒ相互の連結のために、前述の従来例のように、フックレバー７、摺動孔Ｓ、外れ防止片Ｋ等の連結作業が面倒なもの設ける必要がなく、しかも、止めネジ等の別体の固定部材を用いたり、端部相互にカシメ等の塑性変形を施す必要がない。このため、実施形態の炊飯かまど１１は、被災地等において、瞬時に組み立てることができる。
【００４５】
さらに、実施形態の炊飯かまど１１は、不使用時に、各分割壁１２・１３・１４毎に分離でき、収納個所から使用個所への搬送や、使用個所から収納個所への搬送を、各分割壁１２・１３・１４毎に行うことができ、これらの搬送作業が容易である。但し、作業者が腕力の強い者（例えば、男性）であったり、台車等の搬送手段を用いる場合には、炊飯かまど１１を構成する全分割壁１２・１３・１４若しくは、全分割壁１２・１３・１４から選択される幾枚かの分割壁を一度に搬送することもできる。
【００４６】
したがって、実施形態の炊飯かまど１１によると、構造が簡単で、安価であるとともに、組立・運搬・収納を簡便に行なうことができる。
【００４７】
また、実施形態の炊飯かまど１１では、組立時に、炊飯かまど１１の周方向に沿って、雄型の係合部１６と、雌型の係合部１７とが交互に並ぶ状態となる。すなわち、各分割壁１２・１３・１４において、炊飯かまど１１の周方向に沿って並ぶ向きが同方向となるため、炊飯かまど１１の組立作業を効率的に行うことができる。例えば、各分割壁１２・１３・１４のうちの何れかが、立設方向を上下に逆転した状態となれば、雄型の係合部１６同士、若しくは、雌型の係合部１７同士が、近接配置され、炊飯かまど１１の組立が不可能となる。すなわち、近接配置される分割壁１２・１３・１４の連結の可否に着目すれば、各分割壁１２・１３・１４の立設方向を確認できるため、炊飯かまど１１の組立作業を効率的に行うことができる。
【００４８】
さらに、実施形態では、炊飯かまど１１を構成する各分割壁１２・１３・１４の外形を統一化できるため、炊飯かまど１１の製造コストをより一層、安価なものとできる。例えば、各分割壁１２・１３・１４をプレス加工によって形成する場合には、炊飯かまど１１を構成する全分割壁１２・１３・１４を、同一の金型を用いて形成することができる。そして、全分割壁１２・１３・１４のうちで、挿入孔１５や空気孔３１等を備えるものについて、この挿入孔１５等を開口させるための加工を別途、施せばよいからである。
【００４９】
なお、実施形態では、炊飯かまど１１を３枚の分割壁１２・１３・１４から形成したものを示したが、炊飯かまどを、２枚の分割壁から構成したり、４枚以上の分割壁から構成しても良い。但し、２枚の分割壁で構成する態様によると、分割壁の数が少なくなる分だけ、各分割壁個々の重量が重くなり、炊飯かまどの組立作業の作業性が、やや低下する可能性がある。また、４枚以上の分割壁で構成すると、分割壁の数が多くなる分だけ、炊飯かまどの組立作業が、やや煩雑化する可能性がある。一方、実施形態の３枚の分割壁１２・１３・１４から構成する態様によると、各分割壁１２・１３・１４の重量を不必要に重くせず、しかも、炊飯かまど１１の組立作業が、煩雑化することはない。
【００５０】
また、実施形態では、加熱手段として、ガスバーナＨを使用した場合を示したが、他に、薪等の燃料を使用しても良い。
【図面の簡単な説明】
【図１】本発明の一実施形態の炊飯かまどの使用態様を示す斜視図である。
【図２】同実施形態の組立時の平面図である。
【図３】同実施形態の分割壁を示す拡大平面図である。
【図４】（ａ）〜（ｃ）は、実施形態の組立手順を例示する拡大平面図である。
【図５】従来例の炊飯かまどを示す正面図である。
【図６】（ａ）は、摺動孔と外れ防止片との係止が解除された状態を示す拡大平面図であり、（ｂ）は、外れ防止片が摺動孔周縁に係止された状態を示す拡大平面図である。
【符号の説明】
１・１１…炊飯かまど、
２・３・４・１２・１３・１４…分割壁、
１５…挿入孔、
１６…（雄型の）係合部、
１７…（雌型の）係合部、
Ｌ…（一方の）端部、
Ｒ…（他方）端部、
Ｈ…（加熱手段）ガスバーナ、
Ｐ…鍋。
【図１】
0003674681.tif 000002
【図２】
0003674681.tif 000003
【図３】
0003674681.tif 000004
【図４】
0003674681.tif 000005
【図５】
0003674681.tif 000006
【図６】
0003674681.tif 000007